(57)【特許請求の範囲】
【請求項１】
排水口が設けられた底部と、当該底部の周縁に連なる外周部とを含む有底部材の排水口蓋であって、
前記底部は、外周部の基部に隣接する底部を部分的に低く設けることによって形成される凹状部と、前記排水口の上部外周側に段落ち部とを備え、
前記排水口は、前記外周部の基部直近位置であって、前記凹状部内の底面に形成され、
前記排水口を閉蓋する蓋部材と、この蓋部材に連なって当該蓋部材から上方に立ち上がるとともに前記外周部に設けられた支持部に係脱可能な係合部材とを含み、
前記係合部材は着脱操作部を備え、
前記蓋部材は、底面に補強部材を備えて外周側が段落ち部の上方に隙間を介して位置し、前記係合部材が前記支持部に係合したときに、前記底部と非接触となる状態で排水口を閉蓋し、
前記補強部材は、前記蓋部材の閉蓋時に当該蓋部材と前記外周部の基部に連なる前記凹状部の内面との間に筋交い状に位置することを特徴とする排水口蓋。
【請求項２】
前記凹状部は平面視略方形に設けられ、
前記蓋部材は前記凹状部の平面形状と略相似形に設けられていることを特徴とする請求項１記載の排水口蓋。
【請求項３】
前記係合部材は、前記蓋部材の一端部中央から上方に向けられた立ち上がり部と、この立ち上がり部の上端に設けられたフック部とを備えていることを特徴とする請求項１又は２記載の排水口蓋。
【発明の詳細な説明】
【技術分野】
【０００１】
本発明は排水口蓋に係り、特に、ユニットバスのフロア、システムキッチンのシンク等の有底部材に設けられた排水口を閉蓋することに適した排水口蓋に関する。
【背景技術】
【０００２】
ユニットバスの洗い場部を形成するフロアには排水口が設けられており、この排水口を閉蓋するための排水口蓋が用いられている。
前記排水口には、洗髪などにより生じた髪の毛を回収するためのネット状部材が装着されており、排水口蓋は、ネット状部材への湯水の流れを妨げない状態で、排水口の上部に配置される構成が採用されている（例えば、特許文献１参照）。
【特許文献１】特開平８−１２８０９１号号公報
【発明の開示】
【発明が解決しようとする課題】
【０００３】
しかしながら、特許文献１に記載された排水口蓋にあっては、当該排水口蓋の下面側が部分的にフロアに接触する状態で装着される構成であるため、当該接触部位に、主として髪の毛などのごみが絡まる傾向をもたらし、排水口への円滑な排水を妨げてしまう、という不都合がある。しかも、絡まった髪の毛に湯水と共に流れる垢等の老廃物が堆積し易くなる、という問題もある。
なお、シンクの排水口においても、調理屑等の絡まりによって、排水を妨げる要因となっている。
【０００４】
［発明の目的］
本発明は、このような不都合に着目して案出されたものであり、その目的は、ごみの絡まり若しくは詰まりを効果的に排除でき、排水口への湯水の流れを円滑に行うことのできる排水口蓋を提供することにある。
【課題を解決するための手段】
【０００５】
前記目的を達成するため、本発明は、排水口が設けられた底部と、当該底部の周縁に連なる外周部とを含む有底部材の排水口蓋であって、
前記底部は、外周部の基部に隣接する底部を部分的に低く設けることによって形成される凹状部と、前記排水口の上部外周側に段落ち部とを備え、
前記排水口は、前記外周部の基部直近位置であって、前記凹状部内の底面に形成され、
前記排水口を閉蓋する蓋部材と、この蓋部材に連なって当該蓋部材から上方に立ち上がるとともに前記外周部に設けられた支持部に係脱可能な係合部材とを含み、
前記係合部材は着脱操作部を備え、
前記蓋部材は、底面に補強部材を備えて外周側が段落ち部の上方に隙間を介して位置し、前記係合部材が前記支持部に係合したときに、前記底部と非接触となる状態で排水口を閉蓋し、
前記補強部材は、前記蓋部材の閉蓋時に当該蓋部材と前記外周部の基部に連なる前記凹状部の内面との間に筋交い状に位置する、という構成を採っている。
【０００６】
本発明において、前記凹状部は平面視略方形に設けられ、
前記蓋部材は前記凹状部の平面形状と略相似形に設けられる、という構成を採ることが
好ましい。
【０００７】
また、前記係合部材は、前記蓋部材の一端部中央から上方に向けられた立ち上がり部と、この立ち上がり部の上端に設けられたフック部とを備えてもよい。
【０００９】
なお、本明細書において、「閉蓋」とは、湯水の流路を遮断するものではなく、排水口に向かう湯水の流れを許容する状態で、排水口に相対する位置に装着される場合について用いられる。
【発明の効果】
【００１０】
本発明によれば、係合部材が有底部材の外周部側に支持される構成であるため、有底部材の底部に蓋部材を接触させることなく、一定の隙間を介して蓋部材を閉蓋位置にセットできるようになる。従って、ごみの絡まりや、詰まりによって排水口へ流れる湯水の通路が部分的に狭められたり、遮断されたりする不都合を効果的に回避することができる。
また、蓋部材の底面に補強部材を設けた構成によれば、蓋部材に上方からの重さが作用したときの強度を高めることができる。
更に、蓋部材の外周が段落ち部の上方に隙間を介して位置する構成では、蓋部材に重さが加えられて変位若しくは変形しようとしたときの逃げ代が確保できる一方で、変位量を一定に制限して蓋部材への過大な負荷を軽減することができる。
また、係合部材に着脱操作部を設けた場合には、汚れ部位となる蓋部材に直接触れることなく排水口蓋を排水口から取り外すことが可能となる。
【発明を実施するための最良の形態】
【００１１】
以下、本発明の好ましい実施の形態について図面を参照しながら説明する。
【００１２】
図１には、排水口蓋が有底部材としてのユニットバスのフロアに適用された実施形態に係る概略斜視図が示され、図２には、前記排水口蓋を取り外した状態の概略斜視図が示されている。また、図３には、図１の要部拡大図が示されている。これらの図において、排水口蓋１０は、フロア１１における排水口１２の上部に位置して当該排水口１２を閉蓋するように設けられている。ここで、フロア１１は、排水口１２が設けられた平面視略方形（本実施形態では長方形）の底部１５と、当該底部１５の周縁に連設されて上方に向けられた四辺の外周部１６とを含んで構成されている。排水口１２は、外周部１６の基部に隣接する底部１５を部分的に低く設けた平面視略方形の凹状部１７内の底面に設けられている。排水口１２の形成位置は、外周部１６の基部直近位置であればよいが、本実施形態では、図１中後方に位置する長辺側外周部１６Ａの直近内側に設定されている。従って、底部１５の上面は、排水口１２に向かって湯水が流れる勾配が設けられていることになる。なお、排水口１２には、図示しない排水管が設けられるとともに、ごみ取りネット若しくは篭が装着されるようになっている。
【００１３】
前記長辺側外周部１６Ａにおいて、排水口１２の後部位置には、排水口蓋１０を支持するための支持部２０が一体に設けられている。この支持部２０は、図３及び図４に示されるように、長辺側外周部１６Ａの面内に反転Ｕ字状の切欠部２１を設けるとともに、当該切欠部２１の後部を後方に膨出させることによって形成され、これにより、支持部２０の上端部に前記蓋部材１０が係脱可能となっている。支持部２０の横方向の幅は切欠部２１のそれよりも短く設けられており、支持部２０の後方に湯水が飛び散っても排水口１２側に流れ出るようになっている。なお、支持部２０の厚みを図示例よりも薄くした場合には、例えば、半分程度とした場合には、切欠部２１の後部を後方に膨出させることなく長辺側外周部１６Ａの板厚内に収めることができる。
【００１４】
前記排水口蓋１０は、排水口１２を閉蓋する蓋部材２５と、この蓋部材２５に連なるとともに前記支持部２０に係脱可能な係合部材２６とを備えて構成されている。蓋部材２５は、前記凹状部１７の平面形状と略相似形状で、当該凹状部１７の平面サイズよりも小さい板状に設けられ、これにより、蓋部材２５が閉蓋位置（図４参照）となったときに、当該蓋部材２５と底部１５とが被接触の状態に保たれる。
【００１５】
前記係合部材２６は、蓋部材２５の一端部中央から上方に向けられた立ち上がり部２６Ａと、当該立ち上がり部２６Ａの上端から後方に向けられて先端が下向きにとされたフック状部２６Ｂとにより構成され、当該フック状部２６Ｂを支持部２０の上端に引っ掛けることにより、係合部材２６が支持部２０に係合して蓋部材２５が排水口１２を閉蓋するようになっている。
【００１６】
前記蓋部材２５の底面二箇所位置には、図４及び図５に示されるように、補強部材２７が設けられている。これら補強部材２７は、側面視略三角形状に設けられており、係合部材２６を支持部２０に係合させて蓋部材２５を閉蓋位置としたときに、蓋部材２５と凹状部１７の内面との間に筋交い状に位置するようになっている。従って、蓋部材２５が係合部材２６に片持ち姿勢で支持される構造であっても、上方からの力に対して一定の強度を維持することができる。
【００１７】
本実施形態では、前述したように、係合部材２６を支持部２０に係合させたときに、蓋部材２５が閉蓋位置となり、この状態で、蓋部材２５は、その上面が底部１５の上面と面一高さとなる。また、蓋部材２５の三辺の外周と、底部１５すなわち凹状部１７の外周との間に隙間が形成されて蓋部材２５と底部１５とが相互に非接触となり、その隙間を通じて湯水を排水口１２に流すことができる。
なお、本実施形態は、以下に述べる構成において変形が加えられる。
先ず、図６に示されるように、支持部２０と凹状部１７の一部を形成する長辺側外周部１６Ａと面位置が前後（図中左右）にずれるように段差部３０を設け、係合部材２６の立ち上がり面２６Ａの前面（右面）と、長辺側外周部１６Ａの内面１６Ｂとが略同一面内に位置するように設ける。なお、前記実施形態で示した補強部材２７を省略しているが、当該補強部材２７が設けられる。
この場合には、フロア１１の底部１５側から蓋部材１０を見たときに、係合部材２６が長辺側外周部１６Ａから内側に出っ張らない外観を呈することになり、係合部材２６の上端に身体の一部が意図することなくぶつかってしまうようなおそれを防止できるとともに、意匠的にも優れた美観を付与することができる。
また、図７に示されるように、凹状部１７を形成する外周上部に段落ち部４０を設ける構成を採用する。この構成においても、蓋部材１０が閉蓋位置にあるときに、段落ち部４０との接触がないように設定されている。
これによれば、蓋部材２５に上方からの力が付与されて当該蓋部材２５が下方に撓み変位しようとしても、その外周が段落ち部４０上に当接することによって、段落ち部４０以下への撓み変形が防止されることになり、蓋部材２５が折損するような不都合を回避することができる。
更に、図８の排水口蓋１０のように、係合部材２６の立ち上がり部２６Ａの面内に、着脱操作部として作用する穴、例えば、長孔５０を形成する。
このような長孔５０を形成した場合には、当該長孔５０に指先を差し込むようにして排水口蓋１０を取り外す作業を容易に行うことが可能となる。
【００１８】
従って、このような実施形態によれば、蓋部材２５と底部１５とが相互に接触する従来例に比べ、蓋部材にごみが詰まったり、堆積したりするおそれを効果的に回避することができる、という効果を得る。
【００１９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２３】
例えば、前記蓋部材２５の面内に、湯水の通過を可能とする少なくとも一つの穴を設けることでもよい。
【００２４】
また、前記実施形態は、ユニットバスのフロアに設けられた排水口１２に対応した排水口蓋１０について図示、説明したが、本発明はこれに限定されるものではなく、システムキッチンのシンクに設けられた排水口や、洗面化粧台を構成する洗面ボールの排水口等にも適用することができる。
【図面の簡単な説明】
【００２５】
【図１】本実施形態に係る排水口蓋がユニットバスのフロア排水口に適用された実施形態を示す概略斜視図。
【図２】排水口蓋を取り外した状態を示す図１と同様の概略斜視図。
【図３】図１の要部拡大図。
【図４】図１のＡ−Ａ線矢視拡大断面図。
【図５】図４の平面図。
【図６】実施形態を示す図４と同様の断面図。
【図７】実施形態を示す図４と同様の断面図。
【図８】排水口蓋の実施形態を示す概略斜視図。
【符号の説明】
【００２６】
１０…排水口蓋、１１…フロア（有底部材）、１２…排水口、１５…底部、１６…外周部、１６Ａ…長辺側外周部、２０…支持部、２５…蓋部材、２６…係合部材、２７…補強部材、４０…段落ち部、５０…長孔（着脱操作部）
【図１】
0005475964.tif 000002
【図２】
0005475964.tif 000003
【図３】
0005475964.tif 000004
【図４】
0005475964.tif 000005
【図５】
0005475964.tif 000006
【図６】
0005475964.tif 000007
【図７】
0005475964.tif 000008
【図８】
0005475964.tif 000009